(57)【特許請求の範囲】
【請求項１】
長方形の平面導体の２つの長辺のうち一方の長辺に設けられた複数の凹部と、複数の分岐を経て枝分かれしている第１のストリップ平面導体と、複数の分岐を経て枝分かれしている第２のストリップ平面導体とを有し、前記第１のストリップ平面導体の先端が前記複数の凹部にそれぞれ１つずつ接続され、前記第２のストリップ平面導体の先端が前記第１のストリップ平面導体と前記凹部の接続部とは反対側の長辺にそれぞれ１つずつ接続された導体平板を、前記長辺に平行な予め設定された複数の折り曲げ線に沿って折り曲げ、
前記長方形の導体平板の前記凹部のある側の前記長辺と前記凹部のない側の前記長辺とを、前記凹部のない部分において接合することにより、多角柱と、前記多角柱に空けられ前記凹部の位置に形成された複数のスロットと、前記多角柱の内部にあって、前記第１のストリップ平面導体と前記第２のストリップ平面導体を有し、前記複数のスロットに給電する平行二線とを形成したリニアアレーアンテナの製造方法。
【請求項２】
長方形の平面導体の２つの長辺のうち一方の長辺に設けられた複数の第１の凹部と、前記長方形の平面導体の２つの前記長辺のもう一方の辺に、前記第１の凹部と対向する位置に設けられた複数の第２の凹部と、複数の分岐を経て枝分かれしている第１のストリップ平面導体と、複数の分岐を経て枝分かれしている第２のストリップ平面導体とを有し、前記第１のストリップ平面導体の先端が前記複数の第１の凹部にそれぞれ１つずつ接続され、前記第２のストリップ平面導体の先端が前記複数の第２の凹部にそれぞれ１つずつ接続された導体平板を、前記長辺に平行な予め設定された複数の折り曲げ線に沿って折り曲げ、
前記長方形の導体平板の前記第１の凹部のある側の前記長辺と前記第２の凹部のある側の前記長辺とを、前記第１の凹部と前記第２の凹部のない部分において接合することにより、多角柱と、前記多角柱に空けられ前記第１の凹部及び前記第２の凹部の位置に形成された複数のスロットと、前記多角柱の内部にあって、前記第１のストリップ平面導体と前記第２のストリップ平面導体を有し、前記複数のスロットに給電する平行二線とを形成したリニアアレーアンテナの製造方法。
【請求項３】
前記多角柱を四角柱とした
ことを特徴とする請求項１または２に記載のリニアアレーアンテナの製造方法。
【請求項４】
前記多角柱に、波長に比べて十分小さい穴を複数個空けた
ことを特徴とする請求項１ないし３のいずれか１項に記載のリニアアレーアンテナの製造方法。
【請求項５】
前記多角柱の内部に、誘電体を入れた
ことを特徴とする請求項１ないし４のいずれか１項に記載のリニアアレーアンテナの製造方法。
【請求項６】
長方形の平面導体の２つの長辺のうち一方の長辺に設けられた複数の凹部と、複数の分岐を経て枝分かれしている第１のストリップ平面導体と、複数の分岐を経て枝分かれしている第２のストリップ平面導体とを有し、前記第１のストリップ平面導体の先端が前記複数の凹部にそれぞれ１つずつ接続され、前記第２のストリップ平面導体の先端が前記第１のストリップ平面導体と前記凹部の接続部とは反対側の長辺にそれぞれ１つずつ接続された導体平板でなり、前記長辺に平行な予め設定された複数の折り曲げ線に沿って折り曲げ、前記凹部のある側の前記長辺と前記凹部のない側の前記長辺とを、前記凹部のない部分において接合することにより形成された多角柱と、
前記多角柱に空けられ前記凹部の位置に形成された複数のスロットと、
前記多角柱の内部にあって、前記第１のストリップ平面導体と前記第２のストリップ平面導体を有し、前記複数のスロットに給電する平行二線と
を備えたリニアアレーアンテナ。
【請求項７】
長方形の平面導体の２つの長辺のうち一方の長辺に設けられた複数の第１の凹部と、前記長方形の平面導体の２つの前記長辺のもう一方の辺に、前記第１の凹部と対向する位置に設けられた複数の第２の凹部と、複数の分岐を経て枝分かれしている第１のストリップ平面導体と、複数の分岐を経て枝分かれしている第２のストリップ平面導体とを有し、前記第１のストリップ平面導体の先端が前記複数の第１の凹部にそれぞれ１つずつ接続され、前記第２のストリップ平面導体の先端が前記複数の第２の凹部にそれぞれ１つずつ接続された導体平板でなり、前記長辺に平行な予め設定された複数の折り曲げ線に沿って折り曲げ、前記第１の凹部のある側の前記長辺と前記第２の凹部のある側の前記長辺とを、前記第１の凹部と前記第２の凹部のない部分において接合することにより形成された多角柱と、
前記多角柱に空けられ前記第１の凹部及び前記第２の凹部の位置に形成された複数のスロットと、
前記多角柱の内部にあって、前記第１のストリップ平面導体と前記第２のストリップ平面導体を有し、前記複数のスロットに給電する平行二線と
を備えたリニアアレーアンテナ。
【請求項８】
前記多角柱を四角柱とした
ことを特徴とする請求項６または７に記載のリニアアレーアンテナ。
【請求項９】
前記多角柱に、波長に比べて十分小さい穴を複数個空けた
ことを特徴とする請求項６ないし８のいずれか１項に記載のリニアアレーアンテナ。
【請求項１０】
前記多角柱の内部に、誘電体を入れた
ことを特徴とする請求項６ないし９のいずれか１項に記載のリニアアレーアンテナの製造方法。
【発明の詳細な説明】
【技術分野】
【０００１】
この発明は、水平偏波が水平面無指向性であるアンテナに関するもので、特に携帯電話、ＰＨＳ等の移動体通信基地局に使用される水平偏波水平面無指向性アンテナを製造するためのリニアアレーアンテナの製造方法及びリニアアレーアンテナに関する。
【背景技術】
【０００２】
移動体通信基地局用アンテナには、水平偏波の水平面無指向性が要求されることがある。一般には、素子アンテナを複数個垂直に並べてリニアアレーアンテナとし、高利得なアンテナとする。また、ユーザの要求に応じて、ビーム方向を水平方向から数度あるいは数十度チルトさせる。さらに、アンテナの横幅はなるべく小さいことが望ましい。したがって、移動体通信基地局用アンテナは、多くの場合、径が細い円筒状のレドームの中にリニアアレーアンテナを設置する。
【０００３】
水平偏波水平面無指向性を得るものとしては、複数のスロットを同軸線路により給電した円筒スロットアレーアンテナがある（例えば、非特許文献１参照）。また、円筒スロットアレーアンテナを平行二線により給電するものがある（例えば、非特許文献２参照）。
【０００４】
【非特許文献１】1997年電子情報通信学会通信ソサイエティ大会、B-1-41、安藤他”水平偏波無指向性ダイバーシチアンテナの検討”
【非特許文献２】Electronics pp.90-93 Feb. 1947 E. C. Jordan他”Slotted-cylinder antenna”
【発明の開示】
【発明が解決しようとする課題】
【０００５】
以上の水平偏波水平面無指向性アンテナのうち、同軸線路により給電した円筒スロットアレーアンテナは、高利得とするためにスロットを多く設けた時に、同軸線路では電力分配の構成が複雑になり、給電回路の構成が複雑化するという問題点がある。
【０００６】
また、平行二線による円筒スロットアンテナは、製造が難しいという問題がある。
【０００７】
この発明は、上述のような課題を解決するためになされたもので、構造が簡単でアンテナ横幅の小さい水平偏波水平面無指向性リニアアレーアンテナを簡易に製造することができるリニアアレーアンテナの製造方法及びリニアアレーアンテナを得ることを目的とする。
【課題を解決するための手段】
【０００８】
この発明に係るリニアアレーアンテナの製造方法は、長方形の平面導体の２つの長辺のうち一方の長辺に設けられた複数の凹部と、複数の分岐を経て枝分かれしている第１のストリップ平面導体と、複数の分岐を経て枝分かれしている第２のストリップ平面導体とを有し、前記第１のストリップ平面導体の先端が前記複数の凹部にそれぞれ１つずつ接続され、前記第２のストリップ平面導体の先端が前記第１のストリップ平面導体と前記凹部の接続部とは反対側の長辺にそれぞれ１つずつ接続された導体平板を、前記長辺に平行な予め設定された複数の折り曲げ線に沿って折り曲げ、前記長方形の導体平板の前記凹部のある側の前記長辺と前記凹部のない側の前記長辺とを、前記凹部のない部分において接合することにより、多角柱と、前記多角柱に空けられ前記凹部の位置に形成された複数のスロットと、前記多角柱の内部にあって、前記第１のストリップ平面導体と前記第２のストリップ平面導体を有し、前記複数のスロットに給電する平行二線とを形成したものである。
【０００９】
また、他の発明に係るリニアアレーアンテナの製造方法は、長方形の平面導体の２つの長辺のうち一方の長辺に設けられた複数の第１の凹部と、前記長方形の平面導体の２つの前記長辺のもう一方の辺に、前記第１の凹部と対向する位置に設けられた複数の第２の凹部と、複数の分岐を経て枝分かれしている第１のストリップ平面導体と、複数の分岐を経て枝分かれしている第２のストリップ平面導体とを有し、前記第１のストリップ平面導体の先端が前記複数の第１の凹部にそれぞれ１つずつ接続され、前記第２のストリップ平面導体の先端が前記複数の第２の凹部にそれぞれ１つずつ接続された導体平板を、前記長辺に平行な予め設定された複数の折り曲げ線に沿って折り曲げ、前記長方形の導体平板の前記第１の凹部のある側の前記長辺と前記第２の凹部のある側の前記長辺とを、前記第１の凹部と前記第２の凹部のない部分において接合することにより、多角柱と、前記多角柱に空けられ前記第１の凹部及び前記第２の凹部の位置に形成された複数のスロットと、前記多角柱の内部にあって、前記第１のストリップ平面導体と前記第２のストリップ平面導体を有し、前記複数のスロットに給電する平行二線とを形成したものである。
【００１０】
また、この発明に係るリニアアレーアンテナは、長方形の平面導体の２つの長辺のうち一方の長辺に設けられた複数の凹部と、複数の分岐を経て枝分かれしている第１のストリップ平面導体と、複数の分岐を経て枝分かれしている第２のストリップ平面導体とを有し、前記第１のストリップ平面導体の先端が前記複数の凹部にそれぞれ１つずつ接続され、前記第２のストリップ平面導体の先端が前記第１のストリップ平面導体と前記凹部の接続部とは反対側の長辺にそれぞれ１つずつ接続された導体平板でなり、前記長辺に平行な予め設定された複数の折り曲げ線に沿って折り曲げ、前記凹部のある側の前記長辺と前記凹部のない側の前記長辺とを、前記凹部のない部分において接合することにより形成された多角柱と、前記多角柱に空けられ前記凹部の位置に形成された複数のスロットと、前記多角柱の内部にあって、前記第１のストリップ平面導体と前記第２のストリップ平面導体を有し、前記複数のスロットに給電する平行二線とを備えたものである。
【００１１】
さらに、他の発明に係るリニアアレーアンテナは、長方形の平面導体の２つの長辺のうち一方の長辺に設けられた複数の第１の凹部と、前記長方形の平面導体の２つの前記長辺のもう一方の辺に、前記第１の凹部と対向する位置に設けられた複数の第２の凹部と、複数の分岐を経て枝分かれしている第１のストリップ平面導体と、複数の分岐を経て枝分かれしている第２のストリップ平面導体とを有し、前記第１のストリップ平面導体の先端が前記複数の第１の凹部にそれぞれ１つずつ接続され、前記第２のストリップ平面導体の先端が前記複数の第２の凹部にそれぞれ１つずつ接続された導体平板でなり、前記長辺に平行な予め設定された複数の折り曲げ線に沿って折り曲げ、前記第１の凹部のある側の前記長辺と前記第２の凹部のある側の前記長辺とを、前記第１の凹部と前記第２の凹部のない部分において接合することにより形成された多角柱と、前記多角柱に空けられ前記第１の凹部及び前記第２の凹部の位置に形成された複数のスロットと、前記多角柱の内部にあって、前記第１のストリップ平面導体と前記第２のストリップ平面導体を有し、前記複数のスロットに給電する平行二線とを備えたものである。
【発明の効果】
【００１２】
この発明によれば、導体平板を、長辺に平行な予め設定された複数の折り曲げ線に沿って折り曲げ、長方形の導体平板の凹部のある側の長辺と凹部のない側の長辺とを、凹部のない部分において接合することにより、平行二線により給電されるスロットアレーアンテナを製造することでき、構造が簡単でアンテナ横幅の小さい水平偏波水平面無指向性リニアアレーアンテナを簡易に製造することができる。
【発明を実施するための最良の形態】
【００１３】
実施の形態１．
この発明の形態１に係るリニアアレーアンテナ及びその製造方法について、図１〜図７を参照しつつ説明する。
図１は、この発明の形態１に係るリニアアレーアンテナの構成を示す斜視図、図２は、この発明の実施の形態１に係るリニアアレーアンテナの製造方法を説明するためのもので、導体平板の展開図、図３は、図２に示した導体平板を折り曲げた図、図４は、図３に示した導体平板をさらに折り曲げた図、図５は、図２に示した導体平板に接合用ののりしろを加えた図、図６は、図５に示した導体平板を折り曲げて製造したリニアアレーアンテナの構成を示す斜視図、図７は、スロットの形状をドッグボーン形にした場合のリニアアレーアンテナの構成を示す斜視図である。なお、各図中、同一符号は同一又は相当部分を示す。
【００１４】
図１に示すように、この実施の形態１に係るリニアアレーアンテナには、断面（ｘｙ面）が長方形である四角柱状導体１と、四角柱状導体１に空けられた複数個のスロット２と、スロット２に給電する平行二線３とが設けられている。四角柱状導体１の中は空洞となっている。複数個のスロット２はそれぞれスロットアンテナとして動作する。ここで、図１に示した座標系において、ｘｙ面を水平面とする。また、ｘｙ面に電界が平行な偏波を水平偏波とする。
【００１５】
四角柱状導体１の辺ａの長さは辺ｂの長さより小さい。辺ａと辺ｂの長さとしては、例えば、ａ＝約０．０４波長、ｂ＝約０．２波長としても良い。スロット２は、四角柱状導体１の一辺の長さがａの面に設置される。スロット２の長さＬはおおむね半波長から１波長であり、スロット２の幅Ｗは波長に比べて十分小さい。平行二線３には、複数個の分配器（合成器）があり、複数のスロット２に所望の励振振幅、励振位相が与えられる。平行二線３は２枚の導体板により構成されるが、２枚の導体板は、スロット２の２つの長さＬの辺にそれぞれ接続される。
【００１６】
スロット２は、平行二線３により給電されると、幅Ｗの辺に平行に電界が生じる。スロット２の裏側（＋ｙ方向）は導体で遮蔽されているので、放射はスロット２の表側（−ｙ方向）にのみ生じる。このとき、スロット２からの放射は、スロット２の長さＬの辺に平行な磁流からの放射と見なすことができる。したがって、水平偏波が励振される。
【００１７】
また、一般に、アンテナからのビームの電力半値幅は、（波長／アンテナ開口径）に比例する。この実施の形態１に係るリニアアレーアンテナでは、上記のようにスロット２の幅Ｗを波長に比べて十分に小さくした場合を例示しており、磁流が流れるスロット２の幅Ｗが波長より十分小さい場合には、水平偏波が水平面でほぼ無指向性となる放射パターンが得られる。
【００１８】
この実施の形態１に係るリニアアレーアンテナは、図２に示したような導体平板５を折り曲げることにより製造することができる。図２において、導体平板５は、長方形の平面導体の２つの長辺のうち一方の長辺に設けられた複数の凹部１２と、複数の分岐を経て枝分かれしている第１のストリップ平面導体３ａと、複数の分岐を経て枝分かれしている第２のストリップ平面導体３ｂとを有し、第１のストリップ平面導体３ａの先端は複数の凹部１２にそれぞれ１つずつ接続され、第２のストリップ平面導体３ｂの先端は第１のストリップ平面導体３ａと凹部１２の接続部とは反対側の長辺にそれぞれ１つずつ接続されている。
【００１９】
この導体平板５には、長辺に平行な予め設定された複数の折り曲げ線６、７、８が示されており、導体平板５を折り曲げ線６、７、８に沿って折り曲げ、長方形の導体平板５の凹部１２のある側の長辺と凹部１２のない側の長辺とを、凹部１２のない部分（接合部４）において接合することにより、多角柱状導体としての四角柱状導体１と、四角柱状導体１に空けられ凹部１２の位置に形成された複数のスロット２と、四角柱状導体１の内部にあって、第１のストリップ平面導体３ａと第２のストリップ平面導体３ｂを有し、複数のスロット２に給電する平行二線３とを形成したリニアアレーアンテナを製造することができる。
【００２０】
すなわち、図２に示す導体平板５を、折り曲げ線６で直角に折り曲げると、図３のようになる。さらに、折り曲げ線７で直角に折り曲げると図４のようになり、最後に、折り曲げ線８で直角に折り曲げると図１に示したリニアアレーアンテナを得ることができる。
【００２１】
図１に示した接合部４は、溶接加工、接着テープ等により接合される。したがって、図５、図６に示したように、接合用ののりしろ９が導体平板５に加えられても良い。また、導体平板５は、例えば、板金の打ち抜き加工、ケミカルエッチングにより製造する。なお、四角柱状導体１の＋ｚ軸方向の終端部は、そのままでも良いが、平面導体でふさぐことや、吸収帯でふさぐことも考えられる。
【００２２】
ここで、平行二線３の構成は、各スロットアンテナの入力インピーダンス、所望の励振振幅・位相により適宜設計し、図１の形状に限定するものではない。
【００２３】
スロットアンテナの入力インピーダンスは、平行二線３の給電位置、スロット２の長さＬ、スロット２の幅Ｗを変化させることにより調整することができる。一般に、平行二線３の給電位置をスロット２の長さＬの辺の中点から長さＬの辺の端へ移動させていくと、入力インピーダンスの実部は小さくなる。また、スロット２の長さＬを長くしていくと、入力インピーダンスの実部は小さくなる。さらに、スロット２の幅Ｗを大きくすると、入力インピーダンスの実部は大きくなる。
【００２４】
ここでは、スロット２が長方形の場合について説明したが、スロット２の形状は長方形に限定するものではなく、図７に示したようなドッグホーン形、楕円形等、さまざまな形状が考えられる。
【００２５】
スロット２の長さＬを長くすると入力インピーダンスの実部を小さくすることができるが、ビームを水平面からθ０度だけ傾いた面に向ける場合には、グレーティングローブ発生を防止するため素子間隔（図１においては、スロット２の長さＬの辺の中点と、この隣のスロット２の長さＬの辺の中点との間の距離）を｛波長／（１＋｜ｓｉｎθ０｜）｝より小さくする必要がある。したがって、スロット２が長方形の場合は、その長さＬは｛波長／（１＋｜ｓｉｎθ０｜）｝未満に限定される。ここで、スロット２をドッグホーン形にすると、図７に示したドッグホーン形のスロット２の長さＬ２を一定のまま、スロット全体の長さ（Ｌ２＋Ｌ３）を調節することができる。したがって、入力インピーダンスの調整の自由度が増すという効果がある。
【００２６】
以上のように、実施の形態１によれば、導体平板５を、長辺に平行な予め設定された複数の折り曲げ線６，７，８に沿って折り曲げ、長方形の導体平板の凹部のある側の長辺と凹部のない側の長辺とを、凹部のない部分において接合することにより、平行二線３により給電されるスロットアレーアンテナを製造することでき、構造が簡単でアンテナ横幅の小さい水平偏波水平面無指向性リニアアレーアンテナを簡易に製造する方法が得られるという効果を奏する。
【００２７】
実施の形態２．
図８は、この発明の形態２に係るリニアアレーアンテナの構成を示す斜視図である。また、図９は、この発明の実施の形態２に係るリニアアレーアンテナの製造方法を説明するためのもので、導体平板の展開図である。この実施の形態２は、実施の形態１で示したリニアアレーアンテナの四角柱状導体１の接合部４の位置を変化させた場合を例示したものである。
【００２８】
この実施の形態２に係るリニアアレーアンテナは、図９に示したような導体平板５を折り曲げることにより製造することができる。図９において、導体平板５は、長方形の平面導体の２つの長辺の一方に設けられた複数の凹部１２（以下、この実施の形態２においては、凹部１２を第１の凹部１２と称す）と、長方形の平面導体の２つの長辺のもう一方の辺に、第１の凹部１２と対向する位置に設けられた複数の第２の凹部１３と、複数の分岐を経て枝分かれしている第１のストリップ平面導体３ａと、複数の分岐を経て枝分かれしている第２のストリップ平面導体３ｂとを有し、第１のストリップ平面導体３ａの先端は複数の第１の凹部１２にそれぞれ１つずつ接続され、第２のストリップ平面導体３ｂの先端は複数の第２の凹部１３にそれぞれ１つずつ接続されている。
【００２９】
この導体平板５には、長辺に平行な予め設定された複数の折り曲げ線６、７、８が示されており、導体平板５を折り曲げ線６、７、８に沿って折り曲げ、長方形の導体平板５の第１の凹部１２のある側の長辺と第２の凹部１３のある側の長辺とを、第１の凹部１２と第２の凹部１３のない部分（接合部４）において接合することにより、多角柱状導体としての四角柱状導体１と、四角柱状導体１に空けられ第１の凹部１２、第２の凹部１３の位置に形成された複数のスロット２と、四角柱状導体１の内部にあって、第１のストリップ平面導体３ａと第２のストリップ平面導体３ｂを有し、複数のスロット２に給電する平行二線３とを形成したリニアアレーアンテナを製造することができる。
【００３０】
すなわち、図９に示す導体平板５を、折り曲げ線６、７、８で直角に折り曲げると図８に示したリニアアレーアンテナを得ることができる。
【００３１】
以上のように、実施の形態２によれば、導体平板５を、長辺に平行な予め設定された複数の折り曲げ線６，７，８に沿って折り曲げ、長方形の導体平板の２つの長辺同士を、凹部のない部分において接合することにより、平行二線３により給電されるスロットアレーアンテナを製造することでき、構造が簡単でアンテナ横幅の小さい水平偏波水平面無指向性リニアアレーアンテナを簡易に製造する方法が得られるという効果を奏する。
【００３２】
実施の形態３．
図１０は、この発明の形態３に係るリニアアレーアンテナの構成を示す斜視図である。この実施の形態３は、実施の形態１、２で示したリニアアレーアンテナの四角柱状導体１の表面に、波長に比べて十分小さい穴１０を複数個空けた場合を例示したものである。
【００３３】
四角柱状導体１の中に平行二線３を設置した場合、平行二線３を構成する２枚の導体板を中心導体、四角柱状導体１を外導体とする同軸モードが発生することがある。そこで、図１０に示したように、四角柱状導体１のスロット２のある面以外の面に、波長に比べて十分小さい穴１０を複数個空けると、ある周波数において、四角柱状導体１が等価的に磁気壁として動作するようになる。したがって、四角柱状導体１の表面に流れる電流が抑圧され、同軸モードを抑えることができる。
【００３４】
なお、複数個の穴１０の形状は、円形、正方形、三角形等が考えられる。
【００３５】
以上のように、実施の形態３によれば、表面に波長に比べて十分小さい穴１０を複数個空けた導体平板５を折り曲げることにより、同軸モードを抑えることができ、平行二線３により給電されるスロットアレーアンテナを製造することができるという効果を奏する。
【００３６】
実施の形態４．
図１１は、この発明の形態４に係るリニアアレーアンテナの構成を示す斜視図である。この実施の形態４は、実施の形態１、２で示したリニアアレーアンテナの四角柱状導体１の中に、誘電体１１を入れた場合を例示したものである。
【００３７】
複数のスロット２はリニアアレーアンテナを構成しており、素子間隔（スロット２の長さＬの辺の中点と、この隣のスロット２の長さＬの辺の中点との間の距離）をグレーティングローブが発生しない寸法とすることが望ましい。例えば、水平面にビームを向ける場合は、素子間隔を１波長より小さくする。また、ビームを水平面からθ０度だけ傾いた面まで振る場合は、素子間隔を｛波長／（１＋｜ｓｉｎθ０｜）｝より小さくする。
【００３８】
しかし、四角柱状導体１の内部を空洞（空気）とすると、ビームを水平面からθ０度だけ傾いた面まで振る場合は、図１１に示した平行二線３の長さＳを｛波長／（１＋｜ｓｉｎθ０｜）｝とし位相差をつけて各スロット２に給電する必要がある。このようにすると、平行二線３の長さＳと、複数のスロット２の素子間隔は同じ長さであるので、グレーティングローブが発生することになる。
【００３９】
そこで、四角柱状導体１の内部に誘電体１１を充填すると、平行二線３を伝播する波の波長が等価的に小さくなる。したがって、平行二線３の長さＳを｛波長／（１＋｜ｓｉｎθ０｜）｝より小さくすることができ、グレーティングローブが発生しなくなる。
【００４０】
なお、図１１では、誘電体１１を四角柱状導体１の内部に充填したが、誘電体１１を四角柱状導体１の内部の一部分だけに設置しても良い。例えば、誘電体１１を、平行二線３を構成する２枚の導体板の間に設置することも考えられる。また、この実施の形態４は、実施の形態３に示したリニアアレーアンテナにも適用できるのは勿論である。
【００４１】
以上の実施の形態１〜４では、断面（ｘｙ面）が長方形である四角柱状導体１によりリニアアレーアンテナを構成する場合について述べたが、四角柱状導体１の断面（ｘｙ面）は平行四辺形、台形等、他の四角形でも良い。また、四角柱状導体１の代わりに、三角柱状導体などの多角柱導体を使用しても良い。
【図面の簡単な説明】
【００４２】
【図１】この発明の形態１に係るリニアアレーアンテナの構成を示す斜視図である。
【図２】この発明の実施の形態１に係るリニアアレーアンテナの製造方法を説明するためのもので、導体平板の展開図である。
【図３】図２に示した導体平板を折り曲げた図である。
【図４】図３に示した導体平板をさらに折り曲げた図である。
【図５】図２に示した導体平板に接合用ののりしろを加えた図である。
【図６】図５に示した導体平板を折り曲げて製造したリニアアレーアンテナの構成を示す斜視図である。
【図７】この発明の実施の形態１に係るリニアアレーアンテナの製造方法を説明するためのもので、スロットの形状をドッグボーン形にした場合のリニアアレーアンテナの構成を示す斜視図である。
【図８】この発明の形態２に係るリニアアレーアンテナの構成を示す斜視図である。
【図９】この発明の実施の形態２に係るリニアアレーアンテナの製造方法を説明するためのもので、導体平板の展開図である。
【図１０】この発明の形態３に係るリニアアレーアンテナの構成を示す斜視図である。
【図１１】この発明の形態４に係るリニアアレーアンテナの構成を示す斜視図である。
【符号の説明】
【００４３】
１  四角柱状導体、２  スロット、３  平行二線、３ａ  第１のストリップ平面導体、３ｂ  第２のストリップ平面導体、４  接合部、５  導体平板、６〜８  折り曲げ線、９  接合用ののりしろ、１０  穴、１１  誘電体、１２  凹部（第１の凹部）、１３  第２の凹部。
【図１】
0004440875.tif 000002
【図２】
0004440875.tif 000003
【図３】
0004440875.tif 000004
【図４】
0004440875.tif 000005
【図５】
0004440875.tif 000006
【図６】
0004440875.tif 000007
【図７】
0004440875.tif 000008
【図８】
0004440875.tif 000009
【図９】
0004440875.tif 000010
【図１０】
0004440875.tif 000011
【図１１】
0004440875.tif 000012